(57)【特許請求の範囲】
【請求項１】
筒状の外周曲面の回転軸に対して回転対称な複数の位置に縦方向の凹溝およびその凹溝の中央部にネジ穴が設けられた砥石支持フランジと、
この砥石支持フランジの筒状の外周曲面と同一曲面の内面を有し、中央部に外面から内面に貫通するボルト貫通用の縦方向の長孔が穿設され、その長孔の上下位置の内面から直角方向に前記砥石支持フランジの凹溝に嵌合する位置決めピンが設けられた砥石ホルダーと、
この砥石ホルダーの下面に接着固定した砥石チップとよりなり、
この砥石ホルダーの前記位置決めピンを前記砥石支持フランジの筒状の外周曲面に形成した縦方向の凹溝に嵌合するとともに、前記砥石ホルダーに形成した縦方向の長孔に貫通させたボルトを、前記砥石支持フランジの凹溝の中央部に形成したネジ穴に締め付けて構成したことを特徴とする砥石フランジ組立体。
【請求項２】
前記砥石ホルダーの下面に砥石チップを複数個接着固定したことを特徴とする請求項１に記載の砥石フランジ組立体。
【請求項３】
前記砥石ホルダーの下面に異種の砥石チップを複数個接着固定したことを特徴とする請求項１に記載の砥石フランジ組立体。
【請求項４】
前記砥石ホルダーの上面にも砥石チップを予備に接着固定したことを特徴とする請求項１ないし請求項３のいずれか１項に記載の砥石フランジ組立体。
【発明の詳細な説明】
【０００１】
【発明の属する技術分野】
本発明は、平面研削盤や平面研磨盤に用いられる、砥石チップを固定した砥石フランジ組立体に関するものである。
【０００２】
【従来の技術】
平面研削盤や平面研磨盤は、回転する砥石チップを、金属やセラミック等の被研削物であるワークの表面に押し当てることにより、ワークを一様に削ったり、ワークの表面の面粗さを研磨するものである。また、砥石フランジ組立体は、平面研削盤や平面研磨盤の回転軸に取り付けられる環状の砥石フランジと、この砥石フランジの下面に接着固定される複数の砥石チップとからなり、この砥石フランジ組立体が、平面研削盤や平面研磨盤の回転軸に取り付けられて、回転することにより、砥石チップを回転中心に対して円運動させるものである。
【０００３】
この種の砥石フランジ組立体の先行技術として、本出願人と同一出願人が先に出願した特願２０００−１６７７８４、特願２０００−１６７７８５、特願２０００−２１５３４３がある。
【０００４】
【発明が解決しようとする課題】
本発明は、前記のような各砥石フランジ組立体をさらに改良することを課題としたものである。
【０００５】
【課題を解決するための手段】
前記課題を達成するために、請求項１に係る発明は、筒状の外周曲面１ａの回転軸に対して回転対称な複数の位置に縦方向の凹溝１ｂおよびその凹溝１ｂの中央部にネジ穴１ｃが設けられた砥石支持フランジ１と、この砥石支持フランジ１の筒状の外周曲面１ａと同一曲面の内面２ａを有し、中央部に外面２ａ′から内面２ａに貫通するボルト貫通用の縦方向の長孔２ｂが穿設され、その長孔２ｂの上下位置の内面から直角方向に前記砥石支持フランジ１の凹溝１ｂに嵌合する位置決めピン２ｃが設けられた砥石ホルダー２と、この砥石ホルダー２の下面に接着固定した砥石チップ３とよりなり、この砥石ホルダー２の前記位置決めピン２ｃを前記砥石支持フランジ１の筒状の外周曲面１ａに形成した縦方向の凹溝１ｂに嵌合するとともに、前記砥石ホルダー２に形成した縦方向の長孔２ｂに貫通させたボルト４を、前記砥石支持フランジ１の凹溝１ｂの中央部に形成したネジ穴１ｃに締め付けて構成した砥石フランジ組立体としたものである。
【０００６】
また、請求項２に係る発明は、前記砥石ホルダー２の下面に砥石チップ３を複数個接着固定した砥石フランジ組立体としたものである。
また、請求項３に係る発明は、前記砥石ホルダー２の下面に異種の砥石チップ３を複数個接着固定した砥石フランジ組立体としたものである。
また、請求項４に係る発明は、前記砥石ホルダー２の上面にも砥石チップ３を予備に接着固定した砥石フランジ組立体としたものである。
【０００７】
【発明の実施の形態】
以下、本発明の砥石フランジ組立体の実施の形態を図面を参照して詳細に説明する。
図１は砥石フランジ組立体の平面図、図２は図１のＡ−Ａ線おける断面図、図３は砥石チップを接着固定した砥石ホルダーを内面側から見た斜視図である。
【０００８】
請求項１に係る発明の砥石フランジ組立体の構成部材である砥石支持フランジ１は、例えば金属製の筒状の外周曲面１ａの回転軸に対して回転対称な複数の位置に、縦方向の凹溝１ｂおよびその凹溝１ｂの中央部にネジ穴１ｃが設けられている。なお、砥石支持フランジ１の上面中央に、この砥石支持フランジ１が平面研削盤や平面研磨盤の回転軸（図示しない）に取り付けられる取付孔１ｄが穿設されている。
【０００９】
また、砥石フランジ組立体の構成部材である砥石ホルダー２は、図３に詳細に示すように、例えば金属製で、前記砥石支持フランジ１の筒状の外周曲面１ａと同一曲面の内面２ａを有し、中央部に外面２ａ′から内面２ａに貫通するボルト貫通用の縦方向の長孔２ｂが穿設され、その長孔の上下位置の内面から直角方向に前記砥石支持フランジ１の凹溝１ｂに嵌合する位置決めピン２ｃ，２ｃが設けられている。
【００１０】
前記のように形成された砥石ホルダー２の下面に、例えば炭化珪素、窒化ボロン、ダイヤモンド等の砥粒をバインダを添加して長方形に形成した砥石チップ３が接着固定されている。なお、前記砥石チップ３は長方形に限定されるものでは無く、砥石ホルダー２の下面と同様な曲面に形成されたものであってもよい。
【００１１】
前記のように形成された砥石支持フランジ１の外周曲面１ａに、下面に砥石チップ３を接着固定した砥石ホルダー２を取り付けるには、この砥石ホルダー２の内面に設けた位置決めピン２ｃ，２ｃを、前記砥石支持フランジ１の外周曲面１ａに形成した縦方向の凹溝１ｂに嵌合するとともに、砥石ホルダー２の中央部に形成したボルト貫通用の縦方向の長孔２ｂに貫通させたボルト４を、前記凹溝１ｂの中央部に形成したネジ穴１ｃに締め付けて砥石フランジ組立体を組立構成したものである。前記ボルト４の頭には、図示していないが、６角凹穴が形成されたり、ボルト４の頭を６角形に形成している。
【００１２】
このような構成としたことにより、砥石フランジ組立体の構成部材の点数および組立工数が少なくなり、製造コストを安くすることができる。また、前記砥石ホルダー２の内面２ａに設けた位置決めピン２ｃ，２ｃを、前記砥石支持フランジ１の外周曲面１ａに形成した縦方向の凹溝１ｂに嵌合することにより、前記砥石ホルダー２に回転方向の大きな応力が掛かっても、砥石ホルダー２の取り付けが狂うことがない。また、砥石ホルダー２の中央部に形成したボルト貫通用の縦方向の長孔２ｂに貫通させたボルト４を、前記凹溝１ｂの中央部に形成したネジ穴１ｃに締め付ける構成にすることにより、各砥石ホルダー２の下面に接着固定した砥石チップ３の下面が被研磨ワークに正確に当接するように、各砥石ホルダー２を前記砥石支持フランジ１の外周曲面１ａに取り付けることが簡単になる。また、前記砥石ホルダー２の横幅を、図１に示すように、これらの砥石ホルダー２を前記砥石支持フランジ１の外周曲面１ａに取り付けたときに、円形に接合されるように設定することにより、前記砥石ホルダー２の取り付け狂いがさらに無くなる。
【００１３】
図４は本発明の他の実施の形態の砥石フランジ組立体の構成部材である、砥石チップ３を接着固定した砥石ホルダー２を示す斜視図であり、（ａ）図は前記砥石ホルダー２の上面にも１個の砥石チップ３を予備に接着固定したものであり、（ｂ）図は前記砥石ホルダー２の上面にも数個（この図においては同種または異種の２個）の砥石チップ３を予備に接着固定したものである。このようにすることにより、一方の砥石チップ３が摩滅すると、砥石ホルダー２を上下反転させて取り付け変えて使用することができる。
【００１４】
【発明の効果】
請求項１に係る発明は、前記のように構成としたことにより、砥石フランジ組立体の構成部材の点数および組立工数が少なくなり、製造コストを安くすることができる。
また、前記砥石ホルダーの内面に設けた位置決めピンを、前記砥石支持フランジの外周曲面に形成した縦方向の凹溝に嵌合することにより、前記砥石ホルダーに回転方向の大きな応力が掛かっても、砥石ホルダーの取り付けが狂うことがない。
また、砥石ホルダーの中央部に形成したボルト貫通用の縦方向の長孔に貫通させたボルトを、前記凹溝の中央部に形成したネジ穴に締め付ける構成にすることにより、各砥石ホルダーの下面に接着固定した砥石チップの下面が被研磨ワークに正確に当接するように調整して、各砥石ホルダーを前記砥石支持フランジの外周曲面に取り付けることが簡単になる。
【００１５】
また、請求項２または請求項３に係る発明のように、砥石フランジ組立体の構成部材である砥石ホルダーの下面に複数個の砥石チップを接着固定することにより、砥石チップのワークとの当接面積を広くして、作業効率を良くすることができる。
また、砥石ホルダーの下面に、砥粒の硬さや粒径の異なる異種の砥石チップを複数個接着固定することにより、ワークの粗研削から仕上げ研削までを効率良く行うことができる。
【００１６】
また、請求項４に係る発明のように、前記砥石ホルダーの上面にも１個または複数個の砥石チップを予備に接着固定することにより、一方の砥石チップが摩滅すると、砥石ホルダーを上下反転させて取り付け変えて使用することができる。
【図面の簡単な説明】
【図１】請求項１に係る発明の砥石フランジ組立体の実施の形態を示す平面図である。
【図２】図１のＡ−Ａ線おける断面図である。
【図３】砥石チップを接着固定した砥石ホルダーを内面側から見た斜視図である。
【図４】本発明の他の実施の形態の砥石フランジ組立体の構成部材である、砥石チップを接着固定した砥石ホルダーを示す斜視図であり、（ａ）図は前記砥石ホルダーの上面にも１個の砥石チップを、（ｂ）図は前記砥石ホルダーの上面にも数個の砥石チップを予備に接着固定した斜視図である。
【符号の説明】
１      砥石支持フランジ
１ａ    外周曲面
１ｂ    凹溝
１ｃ    ネジ穴
１ｄ    取付孔
２      砥石ホルダー
２ａ    内面
２ａ′  外面
２ｃ    位置決めピン
３      砥石チップ
４      ボルト
【図１】
0003548864.tif 000002
【図２】
0003548864.tif 000003
【図３】
0003548864.tif 000004
【図４】
0003548864.tif 000005